(57)【要約】      （修正有）【課題】可動接触子に電流が流れたときに可動接触子から発生する振動を抑制することによって、騒音が低減された接点装置を提供する。【解決手段】接点装置２は、３つ以上の固定接点２３１，２３２，２３３と、固定接点２３１，２３２，２３３と接触する第１位置と、固定接点２３１，２３２，２３３から離間する第２位置との間で移動可能な可動接触子２５とを備え、可動接触子２５は、可動接触子２５が第１位置にあるときに固定接点２３１，２３２，２３３同士を接続して固定接点２３１，２３２，２３３間の電流を分流する複数の分流路を有し、固定接点２３１，２３２，２３３は、電流の影響の少なくとも一部を打ち消すように配置され、且つ、接続極性が対称となっている。【選択図】図１
2012199128.tif 000002
【特許請求の範囲】
【請求項１】
３つ以上の固定接点と、
前記固定接点と接触する第１位置と、前記固定接点から離間する第２位置との間で移動可能な可動接触子とを備え、
前記可動接触子は、前記可動接触子が前記第１位置にあるときに前記固定接点同士を接続して前記固定接点間の電流を分流する複数の分流路を有し、
前記固定接点は、前記電流の影響の少なくとも一部を打ち消すように配置され、且つ、接続極性が対称となっていることを特徴とする接点装置。
【請求項２】
請求項１に記載の接点装置を備える電磁継電器であって、
前記可動接触子を前記第１位置と前記第２位置との間で移動させる電磁石装置をさらに備えることを特徴とする電磁継電器。
【請求項３】
前記固定接点は、第１固定接点と第２固定接点と第３固定接点との３つで構成されており、
前記複数の分流路は、第１分流路と第２分流路とを有しており、
前記可動接触子が前記第１位置に位置するとき、前記第１固定接点が前記第１分流路及び第２分流路と接触し、前記第２固定接点が前記第１分流路と接触し、前記第３固定接点が前記第２分流路と接触し、
前記第２固定接点と前記第３固定接点とは、対称線で対称となるように配置されており、
前記第１固定接点は、前記対称線上に配置されていることを特徴とする請求項２に記載の電磁継電器。
【請求項４】
前記第１固定接点から第２固定接点に向かう方向は、第１の方向として定義され、
前記第１固定接点から第２固定接点に向かう方向は、第２の方向として定義され、
前記第１の方向は、前記第２の方向と１８０度ずれていることを特徴とする請求項３に記載の電磁継電器。
【請求項５】
前記固定接点は、第１固定接点と第２固定接点と第３固定接点と第４固定接点とを有しており、
前記複数の分流路は、第１分流路と第２分流路とを有しており、
前記可動接触子が前記第１位置に位置するとき、前記第１固定接点及び前記第２固定接点が前記第１分流路に接触し、前記第３固定接点及び前記第４固定接点が前記第２分流路に接触し、
前記第１分流路は、対称点を中心に点対称に配置されていることを特徴とする請求項２に記載の電磁継電器。
【請求項６】
前記第１固定接点と前記第２固定接点と前記第３固定接点と前記第４固定接点とは、所定の四角形の頂点を定義するように配列されており、
前記対称点は、前記可動接触子が前記第１位置に位置するときの前記四角形の対角線が交差する点に対応する位置で定義されることを特徴とする請求項５に記載の電磁継電器。
【発明の詳細な説明】
【技術分野】
【０００１】
本発明は、接点装置とこれを用いた電磁継電器に関するものである。
【背景技術】
【０００２】
特許文献１は、従来の電磁継電器を開示している。従来の電磁継電器は、接点装置と電磁石装置とを備える。接点装置は、第１固定接点と、第２固定接点と、第３固定接点と、可動接触子とを備える。各固定接点は、外部から電流を受けるように構成された端子台と接続されている。可動接触子は、第１固定接点、第２固定接点、第３固定接点のそれぞれと接触する第１位置と、第１固定接点、第２固定接点、第３固定接点のそれぞれと対向した位置に位置するように離間する第２位置との間で移動可能に構成されている。電磁石装置は、可動接触子を第１位置と第２位置との間で移動させる。電磁石装置が可動接触子を第１位置に移動させたとき、第１固定接点、第２固定接点、第３固定接点は、可動接触子によって電気的に接続され、これにより、第１固定接点と第２固定接点との間に電流が流れ、また、第１固定接点と第３固定接点との間に電流が流れる。一方、電磁石装置が可動接触子を第２位置に移動させたとき、可動接触子は、各固定接点から離間し、これにより第１固定接点は、第２固定接点及び第３固定接点から、電気的に絶縁される。このようにして、電磁石装置は、固定接点間に流れる電流を制御する。
【０００３】
そして、電磁継電器は、第１位置に位置する可動接触子と接触する第１固定接点，第２固定接点，第３固定接点を有している。従って、第１位置に位置する可動接触子は、第１固定接点，第２固定接点，第３固定接点３箇所で支持される。すなわち、可動接触子は、３箇所で安定して支えられる。可動接触子が第２位置から第１位置に移動すると、可動接触子は、第１固定接点，第２固定接点，第３固定接点とが接触する。
【０００４】
電磁継電器が２つの固定接点のみを有する場合、２つの固定接点と可動接触子とが当接している状態では振動が生じる。しかしながら、特許文献１に記載されている電磁継電器は、３つの第１固定接点，第２固定接点，第３固定接点の３つで構成される固定接点を有している。したがって、可動接触子は、第１固定接点，第２固定接点，第３固定接点の３つによって安定して支えられる。よって、２つの固定接点と可動接触子とが当接している状況で生じる振動は抑制される。このようにして、電磁継電器が騒音を発生するのを抑制している。
【先行技術文献】
【特許文献】
【０００５】
【特許文献１】特開２０１０−２５７９２３号公報
【発明の概要】
【発明が解決しようとする課題】
【０００６】
ところで、可動接触子が第１固定接点，第２固定接点，第３固定接点と接触するとき、可動接触子は、第１固定接点と第２固定接点との間に電流を流す第１分流路と、第１固定接点と第３固定接点との間に電流を流す第２分流路とを構成する。したがって、第１固定接点と第２固定接点との間に電位差が生じたときには、第１分流路に電流が流れる。第１固定接点と第３固定接点との間に電位差が生じたとき、第２分流路に電流が流れる。第１分流路に電流が流れたとき、可動接触子は、第１分流路に流れる電流の影響を受ける。同様に、第２分流路に電流が流れたとき、可動接触子は、第２分流路に流れる電流の影響を受ける。例えば、可動接触子が第１固定接点，第２固定接点，第３固定接点と接触した状況において可動接触子に電流が流れると、可動接触子の周囲に磁場が発生する。そして、可動接触子の周囲の磁場により、可動接触子が振動される。このようにして、可動接触子に流れる電流の影響によって、可動接触子は騒音を発生する。可動接触子の第１分流路と第２分流路とに流れる電流が原因となる振動は、可動接触子を第１固定接点，第２固定接点，第３固定接点の３点で支持することによって低減することが難しい。したがって、電磁継電器は騒音を発する。
【０００７】
本発明は、上記課題を解決するためになされたものである。本発明の課題は、可動接触子に電流が流れたときに可動接触子から発生する振動を抑制することによって、騒音が低減された接点装置を提供することである。また、このような接点装置を備えた電磁継電器を提供することである。
【課題を解決するための手段】
【０００８】
上記課題を解決するため、本発明の接点装置は、３つ以上の固定接点と、固定接点と接触する第１位置と固定接点から離間する第２位置との間で移動可能な可動接触子とを備える。可動接触子は、可動接触子が第１位置にあるときに固定接点同士を接続して固定接点間の電流を分流する複数の分流路を有する。固定接点は、電流の影響の少なくとも一部を打ち消すように配置され、且つ、接続極性が対称となっている。
【０００９】
また、接点装置を備える電磁継電器は、可動接触子を第１位置と第２位置との間で移動させる電磁石装置をさらに備えることが好ましい。
【００１０】
また、固定接点は、第１固定接点と第２固定接点と第３固定接点との３つで構成されており、複数の分流路は、第１分流路と第２分流路とを有しており、可動接触子が第１位置に位置するとき、第１固定接点が第１分流路及び第２分流路と接触し、第２固定接点が第１分流路と接触し、第３固定接点が第２分流路と接触し、第２固定接点と第３固定接点とは、対称線で対称となるように配置されており、第１固定接点は、対称線上に配置されていることが好ましい。
【００１１】
第１固定接点から第２固定接点に向かう方向は、第１の方向として定義され、第１固定接点から第２固定接点に向かう方向は、第２の方向として定義され、第１の方向は、第２の方向と１８０度ずれていることが好ましい。
【００１２】
一方、固定接点は、第１固定接点と第２固定接点と第３固定接点と第４固定接点とを有しており、複数の分流路は、第１分流路と第２分流路とを有しており、可動接触子が第１位置に位置するとき、第１固定接点及び第２固定接点が第１分流路に接触し、第３固定接点及び第４固定接点が第２分流路に接触し、第１分流路は、対称点を中心に点対称に配置されていることも好ましい。
【００１３】
第１固定接点と第２固定接点と第３固定接点と第４固定接点とは、所定の四角形の頂点を定義するように配列されており、対称点は、可動接触子が第１位置に位置するときの四角形の対角線が交差する点に対応する位置で定義されることが好ましい。
【発明の効果】
【００１４】
本発明によると、可動接触子に電流が流れるときに生じる振動を抑え、これにより騒音が低減された接点装置を提供することができる。
【図面の簡単な説明】
【００１５】
【図１】実施形態の電磁継電器の側面断面図。
【図２】同上の電磁継電器の電磁石装置の分解斜視図。
【図３】同上の電磁継電器の可動接触子と固定接点との関係を示す概略図。
【図４】同上の可動接触子の上面図と、可動接触子を流れる電流を示している。
【図５】他の実施形態の電磁継電器の側面断面図。
【図６】同上の電磁継電器の可動接触子と固定接点との関係を示す概略図。
【図７】（ａ）は同上の可動接触子の上面図と、可動接触子を流れる電流を示している。（ｂ）は、可動接触子を流れる各電流の成分を示している。
【図８】さらに他の実施形態の可動接触子と固定接点との関係を示す概略図。
【図９】同上の可動接触子の上面図と、可動接触子を流れる電流を示している。
【発明を実施するための形態】
【００１６】
図１は、電磁継電器の側面断面図を示している。ここで、図１において、Ｘ方向は、電磁継電器の上方として定義され、Ｙ方向は、電磁継電器の左方として定義される。なお、電磁継電器の上下方向，左右方向，前後方向は、電磁継電器の説明のために用いられている。従って、説明における上下方向，左右方向，前後方向は、電磁継電器の上下方向，左右方向，前後方向を限定するものではない。図１に示すように、電磁継電器は、電磁石装置１と、接点装置２とを備えている。
【００１７】
電磁石装置１は、固定部材と、固定部材に突き合わされて配置される可動部材とを有する。固定部材は、巻線３と、コイルボビン４と、継鉄５と、固定鉄芯６とを有する。可動部材は、可動鉄芯７とシャフト２６とを有する。
【００１８】
コイルボビン４は、合成樹脂でできており、筒状に形成されており、これにより、軸方向に沿った軸穴を有している。コイルボビン４は、その周囲に巻線３が巻きつけられている。継鉄５は、磁性金属材料でできており、コイルボビン４の周囲を囲むように形成されている。固定鉄芯６は、円柱状に形成されており、その上端に鍔部３２が設けられている。可動鉄芯７は、円柱状に形成されている。固定鉄芯６及び可動鉄芯７は、コイルボビン４の軸穴内で、コイルボビン４の軸方向において並んで配置されている。固定鉄芯６は、可動鉄芯７及び継鉄５と協働して、巻線３が電流を受けたときに生じる磁束を通す磁路を形成する。固定鉄芯６は、上下方向に沿った挿通孔６１が設けられている。また、固定鉄芯６は、その下面に収納凹部１６が設けられている。
【００１９】
継鉄５は、継鉄上板９と、継鉄下板１０と、継鉄側板１１とを有する。図２に示すように、継鉄上板９は、矩形板状に形成されている。また、図１に示すように、継鉄上板９は、コイルボビン４の上端に当接するように配置されている。継鉄下板１０は、矩形板状に形成されており、コイルボビン４の下端に当接するように配置されている。継鉄側板１１は、継鉄下板１０と継鉄上板９とをつなぐように、継鉄上板９と継鉄下板１０との間に配置されている。なお、継鉄下板１０と継鉄側板１１とは、一枚の板を折り曲げることにより形成されている。これにより継鉄下板１０と継鉄側板１１とは、一体に形成されている。
【００２０】
コイルボビン４は、その内側に、プランジャキャップ１２を収納している。プランジャキャップ１２は、上下方向に沿った軸方向を有している。プランジャキャップ１２は、円筒状に形成されており、下端には底が設けられている。そして、プランジャキャップ１２の底にはゴムシート１７が配置されており、固定鉄芯６及び可動鉄芯７をその内側に配置することができるように円筒状に形成されている。固定鉄芯６は、プランジャキャップ１２の上端を塞ぐようにプランジャキャップ１２内に固定して配置されており、これにより、プランジャキャップ１２の底と固定鉄芯６の下面との間には収納空間が形成される。可動鉄芯７は、プランジャキャップ１２の軸方向に沿って移動可能となるように、プランジャキャップ１２の収納空間に配置されている。これにより、可動鉄芯７は、プランジャキャップ１２の収納空間において、初期位置と当接位置との間で移動可能に構成されている。可動鉄芯７が初期位置に位置するとき、可動鉄芯７は固定鉄芯６から離間し、プランジャキャップ１２の底に設けられたゴムシート１７と当接する。可動鉄芯７が当接位置に位置するとき、可動鉄芯７はプランジャキャップ１２の底から離間し、固定鉄芯６と当接する。プランジャキャップ１２は、その内側に、さらにばね１３を収納している。ばね１３は、固定鉄芯６と可動鉄芯７との間に配置されており、可動鉄芯７を固定鉄芯６から離間させるばね付勢を生じる。より詳しく説明すると、ばね１３の上端は、固定鉄芯６の収納凹部１６内に配置されている。ばね１３の下端は、可動鉄芯７の上端に対して当接されている。これにより、ばね１３は、可動鉄芯７を固定鉄芯６から離間させて初期位置に位置させる。
【００２１】
図２は、電磁石装置１の分解斜視図を示している。なお、図２において、コイルボビン４，継鉄側板１１，継鉄下板１０は省略されている。図２に示すように、継鉄上板９は、その中央部に、挿通孔１４が設けられている。この挿通孔１４は、電磁継電器の上下方向に沿って貫通して形成されている。継鉄上板９の上面には、ゴムシート３４が配置されている。このゴムシート３４は、上下方向に沿った透孔３６が設けられている。透孔３６は、継鉄上板９の挿通孔１４と連通するように、継鉄上板９の上に配置されている。固定鉄芯６は、その下端が挿通孔１４及び透孔３６に挿通されるように、継鉄上板９に固定される。ゴムシート３４は、継鉄上板９と固定鉄芯６の鍔部３２との間に介在する。
【００２２】
プランジャキャップ１２は、その開口が継鉄上板９の挿通孔１４と連通するように、継鉄上板９の下面に対して固定される。また、図１に示すように、プランジャキャップ１２の下端部は、継鉄下板１０の中央部に設けられた保持孔１５内に挿通され、これにより、プランジャキャップ１２の下部に収納された可動鉄芯７は、継鉄下板１０と磁気結合される。
【００２３】
図１及び図２に示すように、固定鉄芯６の鍔部３２の上面に、ゴムシート３３が配置されている。そして、固定鉄芯６の鍔部３２及びゴムシート３３を覆うように、継鉄上板９の上面にキャップ２８が配置されている。このゴムシート３３およびキャップ２８は、それらの中央に透孔３５及び貫通孔３０がそれぞれ形成されている。キャップ２８は、キャップ２８の貫通孔３０が、固定鉄芯６の挿通孔６１と、固定鉄芯６の軸方向において位置合わせされるように、継鉄上板９の上面に配置されている。これにより、キャップ２８の挿通孔３０は、継鉄上板９の挿通孔１４と連通されている。
【００２４】
シャフト２６は、下部は棒状に形成されており、上部は、二またに形成されている。そして、シャフト２６の上端には、それぞれ鍔２６１が設けられている。シャフト２６の各鍔２６１は、後述する可動接触子２５の抜け止めとして機能する。図１に示すように、シャフト２６は、固定鉄芯６の挿通孔６１に挿通されており、下部が可動鉄芯７に固定されている。これにより、可動鉄芯７が上方に移動したときにシャフト２６が上方に移動し、可動鉄芯７が下方に移動したときに、シャフト２６が下方に移動する。すなわち、シャフト２６は、固定鉄芯６に対して上下方向に沿って移動可能に構成される。
【００２５】
可動接触子２５とキャップ２８との間には、ばね２９が配置されている。ばね２９は、その内側に、シャフト２６を挿通するようにコイル状に形成されている。このばね２９は、可動接触子２５に対してばね付勢を与えるように配置されている。
【００２６】
上述の構成により、巻線３に電流が流れたとき、巻線３の周囲に磁場が形成される。巻線３の周囲に磁場が形成されることにより、磁場の周囲に配置された可動鉄芯７は、磁気抵抗を小さくする方向に移動される。すなわち、巻線３の周囲に磁場が形成されることにより、磁場の周囲に配置された可動鉄芯７は、磁気抵抗を小さくするように、固定鉄芯６に向かって移動する。したがって、これにより、可動鉄芯７は、初期位置から当接位置に移動される。ばね１３の一部は、固定鉄芯６に形成された収納凹部１６に挿入されているため、可動鉄芯７が当接位置に移動したときには、ばね１３は圧縮されてばね１３全体が収納凹部１６内に収まる。これにより、ばね１３は、固定鉄芯６と可動鉄芯７との当接を妨げることがない。また、可動鉄芯７の上面には、ゴムシート１９が配置されているため、可動鉄芯７と固定鉄芯６とが当接するときに可動鉄芯７と固定鉄芯６との間に生じる衝撃は和らげられる。また、可動鉄芯７が初期位置から当接位置に移動するのに伴って、下端が可動鉄芯７に固定されたシャフト２６も上方に移動する。一方、巻線３へ電流が流れないとき、巻線３の周囲に磁場が形成されない。したがって、可動鉄芯７は、ばね１３が生じるばね付勢によって、当接位置から初期位置に移動される。
【００２７】
図１に示すように、電磁石装置１の上方には、ベースブロック２０が配置されている。ベースブロック２０は、耐熱性材料であるセラミックでできている。そして、電磁石装置１とベースブロック２０とは、金属でできた連結体３１によって連結されている。ベースブロック２０は、その下面が開口されている。ベースブロック２０は、その上面に、２つの端子孔２１が設けられている。各端子孔２１には、円柱状に形成されている。一方の端子孔２１は、ベースブロック２０の左右方向の中央に形成されており、他方の端子孔２１は、ベースブロック２０の左側に配置されている。各端子孔２１には、導電性材料でできている第１固定端子台２２１及び第２固定端子台２２２が挿通される。これにより、第１固定端子台２２１及び第２固定端子台２２２は、その下端が、ベースブロック２０の下面から下方に突出する。第１固定端子台２２１の下端面には、導電性を有する第１固定接点２３１が設けられている。第２固定端子台２２２の下端面には、導電性を有する第２固定接点２３２が設けられている。第１固定接点２３１及び第２固定接点２３２は、並んで配置されている。各第１固定端子台２２１及び第２固定端子台２２２は、その上端部に、周面の全周から突出する鍔体２４が設けられている。鍔体２４がベースブロック２０に対してろう付けされている。
【００２８】
ベースブロック２０の内側の下面の右側には、さらに、下方に突出した支持体２２３が設けられている。この支持体２２３は、導電性を有する材料でできている。そして、支持体２２３は、第１固定端子台２２１及び第２固定端子台２２２と一直線に並べられている。また、支持体２２３は、その下面に、導電性を有する金属でできた第３固定接点２３３が設けられている。したがって、第３固定接点２３３は、第１固定接点２３１及び第２固定接点２３２と、一直線に並べられている。そして、第１固定接点２３１は、第２固定接点２３２と第３固定接点２３３とを結ぶ線の垂直二等分線Ｌ５０上に配置されている。（なお、後述する垂直二等分線Ｌ５１と区別するため、垂直二等分線Ｌ５０は、第１の垂直二等分線Ｌ５０として定義される。）言い換えると、第１固定接点２３１と第２固定接点２３２との間の距離は、第１固定接点２３１と第３固定接点２３３との間の距離と等しくなるように、第１固定接点２３１，第２固定接点２３２，第３固定接点２３３が配列されている。また、第３固定接点２３３は、第１固定接点２３１及び第２固定接点２３２と同じ高さに位置するように支持体２２３の下面に配置されている。より詳しく説明すると、第３固定接点２３３の下端は、第１固定接点２３１及び第２固定接点２３２の下端と同じ高さに位置する。言い換えると、第１固定接点２３１，第２固定接点２３２，第３固定接点２３３は、可動接触子２５の上面に平行な面に沿って配置されている。
【００２９】
また、図１に示すように、ベースブロック２０の内側の下面には、さらに、配線２０１が設けられている。この配線２０１は、金属でできており、第２固定端子台２２２と支持体２２３とを電気的に接続するように形成されている。これにより、第２固定接点２３２と第３固定接点２３３とは、電気的に接続される。一方、また、配線２０１は、第１固定端子台２２１から電気的に絶縁されている。
【００３０】
上述のようにベースブロック２０が電磁石装置１の上方に配置されることにより、ベースブロック２０の内部は気密とされる。そして、ベースブロック２０の内部には、水素ガスが充填されている。
【００３１】
図３に示すように、可動接触子２５は、板状に形成されており、左右方向に沿った長さを有する主板部分２５６と、主板部分２５６の長さ方向の中央から前方及び後方に延出する補助板部分２５５とを有する。したがって、補助板部分２５５は、主板部分２５６の両端を結ぶ線分の垂直二等分線Ｌ５１に沿って延出している。（なお、垂直二等分線Ｌ５０と区別するため、垂直二等分線Ｌ５１は、第２の垂直二等分線Ｌ５１として定義される。）可動接触子２５は、導電性を有する。可動接触子２５は、第１固定接点２３１，第２固定接点２３２，第３固定接点２３３と対向する上面を有している。可動接触子２５は、その上面に可動接点を有する。可動接点は、主板部分２５６の長さ方向の両端それぞれと、長さ方向の中央とに設けられている。可動接点は、第１固定接点２３１，第２固定接点２３２．第３固定接点２３３と対向する位置に、それぞれ配置されている。したがって、可動接触子２５が第１位置に位置する状況において第１固定接点２３１と接触する可動接点は、第１可動接点２５１として定義される。可動接触子２５が第１位置に位置する状況において第２固定接点２３２と接触する可動接点は、第２可動接点２５２として定義される。可動接触子２５が第１位置に位置する状況において第３固定接点２３３と接触する可動接点は、第３可動接点２５３として定義される。したがって、第１可動接点２５１と第２可動接点２５２との間の距離は、第１可動接点２５１と第３可動接点２５２との間の距離と等しく設定されている。
【００３２】
各補助板部分２５５には、軸孔２７が設けられている。この軸孔２７は、主板部分２５６の両端を結ぶ線分の垂直二等分線Ｌ５１上に配置されている。各軸孔２７は、可動接触子２５の上下方向に沿った厚み方向において貫通して設けられている。各軸孔２７の大きさは、シャフト２６の上端の鍔２６１よりも小さく形成されている。そして、シャフト２６の鍔２６１が可動接触子２５の上面よりも上方に位置するように、シャフト２６の上部は軸孔２７に挿通されている。これにより、可動接触子２５は、シャフト２６の軸方向に沿って、上下に移動可能に構成され、第１固定接点２３１及び第２固定接点２３２と接触する第１位置と、第１固定接点２３１及び第２固定接点２３２と離間する第２位置との間で移動可能に構成されている。可動接触子２５が第１位置に位置するとき、可動接触子２５は、第１固定接点２３１と第２固定接点２３２とを電気的に接続する。同様に、可動接触子２５が第１位置に位置するとき、可動接触子２５は、第１固定接点２３１と第２固定接点２３２とを電気的に接続する。一方、図１から分かるように、可動接触子２５が第２位置に位置するとき、可動接触子２５は、第１固定接点２３１，第２固定接点２３２，第３固定接点２３３から離間する。これにより、第１固定接点２３１は、第２固定接点２３２，第３固定接点２３３と電気的に絶縁される。
【００３３】
可動鉄芯７が初期位置に位置するとき、可動接触子２５は、シャフト２６の鍔２６１とばね２９とにより、第２位置に位置される。これにより、可動接触子２５は、第１固定接点２３１，第２固定接点２３２，第３固定接点２３３から離間され、接点装置２は開放される。
【００３４】
一方、可動鉄芯７が当接位置に位置するとき、可動接触子２５は、ばね２９によって、第２位置から第１位置に向かって移動される。その結果、可動接触子２５と、第１固定接点２３１，第２固定接点２３２，第３固定接点２３３と接触する。より詳しく説明すると、可動接触子２５は、第１固定接点２３１，第２固定接点２３２，第３固定接点２３３に対して接触され続ける。これにより、第１固定接点２３１と第２固定接点２３２とが、可動接触子２５によって電気的に接続される。より詳しく説明すると、第１固定接点２３１と第２固定接点２３２とが、可動接触子２５によって電気的に接続され続ける。同様に、第１固定接点２３１と第３固定接点２３３とが、可動接触子２５によって電気的に接続される。より詳しく説明すると、第１固定接点２３１と第３固定接点２３３とが、可動接触子２５によって電気的に接続され続ける。
【００３５】
要するに、巻線３に通電していない期間には接点装置２が開放され、これにより第１固定端子台２２１と第２固定端子台２２２との間は絶縁される。また、巻線３に通電している期間には第１固定接点２３１と第２固定接点２３２とは可動接触子２５によって電気的に接続され、これにより、第１固定端子台２２１と第２固定端子台２２２との間は導通される。可動接点と固定接点との間の接触圧は、ばね２９によって確保される。
【００３６】
このような電磁継電器は、次のように動作する。巻線３に電流が流れていない状況では、可動鉄芯７は、ばね１３によって、固定鉄芯６と離間した初期位置に位置される。一方、可動接触子２５は、シャフト２６の鍔２６１と、可動接触子２５の下面とキャップ２８との間に位置するばね２９によって、第２位置に位置される。巻線３に電流が流れると、巻線３は磁場を発生する。可動鉄芯７は、磁場が発生している空間の磁気抵抗を下げるように、固定鉄芯６に向かって移動される。このようにして、可動鉄芯７は、初期位置から当接位置に移動する。可動鉄芯７が初期位置から当接位置に移動するのに伴って、可動鉄芯７が取り付けられたシャフト２６も上方に移動する。シャフト２６が上方に移動すると、可動接触子２５とキャップ２８との間に配置されているばね２９は、可動接触子２５に対してばね付勢を与える。可動接触子２５は、ばね付勢によって、シャフト２６の軸方向に沿って第２位置から第１位置に移動される。このようにして、可動接触子２５は、第１固定接点２３１，第２固定接点２３２と接触する。可動接触子２５が第１位置に位置する状況において、第１固定端子台２２１と第２固定端子台２２２との間に電位差が発生すると、第１固定端子台２２１と第２固定端子台２２２との間に電流が流れる。
【００３７】
また、第１固定接点２３１，第２固定接点２３２，第３固定接点２３３は、一直線上に並べられている。そして、これに対応して、図４に示すように、第１可動接点２５１，第２可動接点２５２，第３可動接点２５３も一直線上に並べられている。従って、図４から理解されるように、可動接触子２５が第１位置に位置する状況において第１固定接点２３１と第２固定接点２３２との間に電位差が発生したとき、可動接触子２５の第１分流路２５７を介して、第１固定接点２３１と第２固定接点２３２との間に電流が流れる。なお、第１分流路２５７は、第１可動接点２５１と第２可動接点２５２との間の領域で定義される。また、従って、可動接触子２５が第１位置に位置する状況において第１固定接点２３１と第３固定接点２３３との間に電位差が発生したとき、可動接触子２５の第２分流路２５８を介して、第１固定接点２３１と第３固定接点２３３との間に電流が流れる。なお、第２分流路２５８は、第１可動接点２５１と第３可動接点２５３との間の領域で定義される。
【００３８】
また、第１固定端子台２２１が第１の電位を有し、第２固定端子台２２２が第１の電位よりも低い第２の電位を有したとき、第１分流路２５７に矢印の方向に向かって電流が流れる。同様に、第１固定端子台２２１が第１の電位を有し、第３固定端子台２２３が第１の電位よりも低い第２の電位を有したとき、第２分流路２５８に矢印の方向に向かって電流が流れる。
【００３９】
また、第１固定接点２３１から第２固定接点２３２に向かう方向を第１の方向として定義し、第１固定接点２３１から第３固定接点２３３に向かう方向を第２の方向として定義する。この場合、第１の方向は、第２の方向と１８０度ずれている。
【００４０】
したがって、第１固定接点２３１と第２固定接点２３２との間に第１分流路２５７を介して電流が流れた場合、可動接触子は、第１分流路２５７に流れる電流の影響を受ける。可動接触子が受ける電流の影響は、例えば、第１分流路２５７に流れる電流が引き起こす磁界などである。また、第１固定接点２３１と第３固定接点２３３との間に第２分流路２５８を介して電流が流れた場合、可動接触子は、第２分流路２５８に流れる電流の影響を受ける。可動接触子が受ける電流の影響は、例えば、第２分流路２５８に流れる電流が引き起こす磁界などである。しかしながら、第１の方向と第２の方向とは、１８０度ずれている。
【００４１】
また、第１固定接点２３１と第２固定接点２３２との間の距離は、第１固定接点２３１と第３固定接点２３３との間の距離と等しく設定されている。そして、第１固定接点２３１は、第２固定接点２３２と第３固定接点２３３とを結ぶ線分の垂直二等分線上に配置されている。これにより、第１固定接点２３１，第２固定接点２３２，第３固定接点２３３は、可動接触子２５を流れる電流の影響の少なくとも一部を打ち消すように、垂直二等分線Ｌ５０で定義される対称線によって対称に配置される。
【００４２】
見方を変えると、第１可動接点２５１と第２可動接点２５２との間の距離は、第１可動接点２５１と第３可動接点２５３との間の距離と等しく設定されている。言い換えると、第１分流路２５７と第２分流路２５８との間の距離は等しい。そして、第１可動接点２５１は、第２可動接点２５２と第３可動接点２５３とを結ぶ線分の垂直二等分線上に配置されている。これにより、第１分流路２５７を流れる電流の影響の少なくとも一部が、第２分流路２５８を流れる電流によって打ち消されるように、第２可動接点２５２と第３可動接点２５３は、垂直二等分線Ｌ５１で定義される対称線によって対称に配置されている。
【００４３】
したがって、第１分流路２５７に流れる電流の影響は、第２分流路２５８に流れる電流により打ち消される。よって、可動接触子の振動を低減される。
【００４４】
そして、巻線３へ電流が供給されなくなると、巻線３は磁場を発生しなくなる。したがって、可動鉄芯７は、ばね１３によって当接位置から初期位置に移動されて固定鉄芯６と離間される。可動鉄芯７が初期位置に移動するのに伴って、シャフト２６もシャフト２６の軸方向に沿って下方に移動される。シャフト２６が下方に移動するのに伴って、シャフト２６は、可動接触子２５の軸孔２７の周囲に対して、下方に向かう力を与える。より詳しく説明すると、シャフト２６が下方に移動するのに伴って、シャフト２６の鍔２６１は、可動接触子２５の軸孔２７の周囲に対して、可動接触子２５を動かす力を与える。この結果、可動接触子２５は、第１位置から第２位置に移動される。その結果、第１固定接点２３１は第２固定接点２３２及び第３固定接点２３３から電気的に絶縁される。
【００４５】
また、第１固定接点２３１が可動接触子２５から離間されるとき、第１固定接点２３１と第１可動接点２５１との間にアークが生じる。同様に、第２固定接点２３２及び第３固定接点２３３が可動接触子２５から離間されるとき、第２固定接点２３２と第２可動接点２５２との間及び、第３固定接点２３３と第３可動接点２５３との間にアークが生じる。しかしながら、アークは、ベースブロック内の水素ガスによって冷却され、速やかに冷却され、速やかに消去される。
【００４６】
以上述べたように、図１の接点装置２は、固定接点と可動接触子２５とを備える。固定接点の数は、３つである。可動接触子２５は、第１位置と第２位置との間で移動可能に構成される。可動接触子２５が第１位置に位置するとき、可動接触子２５は、固定接点と接触する。可動接触子２５が第２位置に位置するとき、可動接触子２５は、固定接点から離間する。可動接触子２５は、複数の分流路を有する。複数の分流路は、可動接触子２５が第１位置に位置するときに固定接点同士を接続して固定接点間の電流を分流する。固定接点は、可動接触子２５に流れる電流の影響の少なくとも一部を打ち消すように配置されている。また、固定接点は、可動接触子２５に流れる電流の影響の少なくとも一部を打ち消すように、接続極性が対称となっている。
【００４７】
また、固定接点は、第１固定接点２３１と第２固定接点２３２と第３固定接点２３３との３つで構成されている。複数の分流路は、第１分流路２５７と第２分流路２５８とを有する。可動接触子２５が第１位置に位置するとき、第１固定接点２３１が第１分流路２５７及び第２分流路２５８と接触し、第２固定接点２３２が第１分流路２５７と接触し、第３固定接点２３３が第２分流路２５８と接触する。第２固定接点２３２と第３固定接点２３３とは、対称線で対称となるように配置されている。第１固定接点２３１は、対称線上に配置されている。
【００４８】
他の観点から見てみると、固定接点は、第１固定接点２３１と第２固定接点２３２と第３固定接点２３３との３つで構成されている。可動接触子２５は、第１可動接点２５１と第２可動接点２５２と第３可動接点２５３とを有する。可動接触子２５が第１位置に位置するとき、第１可動接点２５１，第２可動接点２５２，第３可動接点２５３は、第１固定接点２３１，第２固定接点２３２，第３固定接点２３３とそれぞれ接触する。複数の分流路は、第１分流路２５７と第２分流路２５８とを有する。第１分流路２５７は、第１可動接点２５１と第２可動接点２５２との間の領域で構成される。第２分流路２５８は、第１可動接点２５１と第３可動接点２５３との間の領域で構成される。可動接触子２５が第１位置に位置するとき、第１固定接点２３１が第１分流路２５７及び第２分流路２５８と接触し、第２固定接点２３２が第１分流路２５７と接触し、第３固定接点２３３が第２分流路２５８と接触する。第２固定接点２３２と第３固定接点２３３とは、第１の垂直二等分線Ｌ５０で定義される第１の対称線で対称となるように配置されている。これにより、第２可動接点２５２と第３可動接点２５３とは、垂直二等分線Ｌ５１で定義される第２の対称線で対称となるように配置される。第１固定接点２３１は、第２固定接点２３２と第３固定接点２３３との間の第１の対称線上に配置されており、これにより、第１可動接点２５１は、第２可動接点２５２と第３可動接点２５３との間の垂直二等分線Ｌ５１で定義される第２の対称線上に配置されている。
【００４９】
また、固定接点の少なくとも１つは、第１の極を有しており、他ものは第１の極と異なる第２の極を有している。このようにして、固定接点は、電流の影響の少なくとも一部を打ち消すように接続極性が対象となっている。
【００５０】
より詳しく説明すると、第１固定接点２３１は、第１の極を有している。第２固定接点２３２及び第３固定接点２３３は、第２の極を有している。第１の極は、第２の極とは異なる。このようにして、第１固定接点２３１，第２固定接点２３２，第３固定接点２３３は、電流の影響の少なくとも一部を打ち消すように接続極性が対象となっている。
【００５１】
また、第１固定接点２３１から第２固定接点２３２に向かう方向は、第１の方向として定義される。第１固定接点２３１から第３固定接点２３３に向かう方向は、第２の方向として定義される。第１の方向は、第２の方向と１８０度ずれている。
【００５２】
これにより、複数の分流路に流れる電流の影響の少なくとも一部は打ち消される。その結果、可動接触子２５を流れる電流の影響により生じる振動を低減することができる。したがって、騒音を低減することができる。
【００５３】
また、図１に示す電磁継電器は、接点装置２と電磁石装置１とを備えている。電磁石装置１は、可動接触子２５を第１位置と第２位置との間で移動させるように構成されている。
【００５４】
従って、可動接触子２５を流れる電流が原因となる振動を低減することにより騒音を低減した電磁継電器が得られる。
【００５５】
図５は、電磁継電器の他の例を示している。図５の電磁継電器は、以下の点を除いて、図１の電磁継電器と同様である。従って、図１の電磁継電器と同じ構成には、同じ符号を付する。これにより図１の電磁継電器の構成と同じ構成の説明は省略される。
【００５６】
図５に示すように、電磁石装置１の上方には、ベースブロック２０が配置されている。ベースブロック２０は、耐熱性材料であるセラミックでできている。そして、電磁石装置１とベースブロック２０とは、金属でできた連結体３１によって連結されている。ベースブロック２０は、その下面が開口されている。ベースブロック２０は、その上面に、２つの端子孔２１が設けられている。各端子孔２１には、円柱状に形成されている。一方の端子孔２１は、ベースブロック２０の右側に形成されており、他方の端子孔２１は、ベースブロック２０の左側に配置されている。各端子孔２１には、導電性材料でできている第１固定端子台２２１及び第２固定端子台２２２が挿通される。これにより、第１固定端子台２２１は、その下端が、ベースブロック２０の下面から下方に突出する。一方、第２固定端子台２２２は、その下端が、ベースブロック２０の下面から下方に露出される。第１固定端子台２２１の下端面には、導電性を有する第１固定接点２３１が設けられている。第１固定端子台２２１及び第２固定端子台２２２は、その上端部に、周面の全周から突出する鍔体２４が設けられている。鍔体２４がベースブロック２０に対してろう付けされている。
【００５７】
図６は、図５のベースブロック２０が有する可動接触子２５と第１固定接点，第２固定接点，第３固定接点との関係を示す概略図を示している。ベースブロック２０の内側の下面の左側には、下方に突出した２つの支持体２２３が設けられている。この２つの支持体２２３は、導電性を有する材料でできている。そして、支持体２２３は、その下面に、導電性を有する金属でできた第２固定接点２３２及び第３固定接点２３３が設けられている。第１固定接点２３１は、第２固定接点２３２と第３固定接点２３３とを結ぶ線の垂直二等分線Ｌ５０上に配置されている。そして、第１固定接点２３１は、第２固定接点２３２と第３固定接点２３３とを結ぶ線からずれて配置されている。言い換えると、第１固定接点２３１は、第２固定接点２３２及び第３固定接点２３３と、一直線に並べられていない。したがって、第１固定接点２３１と第２固定接点２３２とを結ぶ直線は、第１固定接点２３１と第３固定接点２３３とを結ぶ直線から所定の角度ずれている。そして、第１固定接点２３１と第２固定接点２３２との間の距離は、第１固定接点２３１と第３固定接点２３３との間の距離と等しくなるように、第１固定接点２３１，第２固定接点２３２，第３固定接点２３３が配列されている。また、第２固定接点２３２，第３固定接点２３３は、第１固定接点２３１と同じ高さに位置するように支持体２２３の下面に配置されている。より詳しく説明すると、第２固定接点２３２及び第３固定接点２３３の下端は、第１固定接点２３１の下端と同じ高さに位置する。言い換えると、第１固定接点２３１，第２固定接点２３２，第３固定接点２３３は、可動接触子２５の上面に平行な面に沿って配置されている。
【００５８】
また、ベースブロック２０の内側の下面には、さらに、配線（図示せず）が設けられている。この配線は、金属でできており、支持体２２３同士を互いに電気的に接続するように形成されている。これにより、第２固定接点２３２と第３固定接点２３３とは、電気的に接続される。一方、また、配線は、第１固定端子台２２１から電気的に絶縁されている。
【００５９】
図６に示すように、可動接触子２５は、その上面が三角形状となるように、板状に形成されている。可動接触子２５は、第１固定接点２３１，第２固定接点２３２，第３固定接点２３３と対向する上面を有している。可動接触子２５は、その上面に可動接点を有する。可動接点は、三角形状の可動接触子２５の各頂点に設けられている。可動接点は、第１固定接点２３１，第２固定接点２３２，第３固定接点２３３と対向する位置に、それぞれ配置されている。したがって、可動接触子２５が第１位置に位置する状況において第１固定接点２３１と接触する可動接点は、第１可動接点２５１として定義される。可動接触子２５が第１位置に位置する状況において第２固定接点２３２と接触する可動接点は、第２可動接点２５２として定義される。可動接触子２５が第１位置に位置する状況において第３固定接点２３３と接触する可動接点は、第３可動接点２５３として定義される。また、第１可動接点２５１，第２可動接点２５２，第３可動接点２５３は、第１固定接点２３１，第２固定接点２３２，第３固定接点２３３と対向して配置されている。したがって、第１可動接点２５１と第２可動接点２５２とを結ぶ直線は、第１可動接点２５１と第３可動接点２５３とを結ぶ直線から所定の角度ずれている。そして、第１可動接点２５１と第２可動接点２５２との間の距離は、第１可動接点２５１と第３可動接点２５３との間の距離と等しい。
【００６０】
また、可動接触子２５は、その中央に軸孔２７が設けられている。この軸孔２７は、可動接触子２５の中心に形成されている。軸孔２７は、可動接触子２５の上下方向に沿った厚み方向において貫通して設けられている。
【００６１】
可動接触子２５がその中心に軸孔２７を有するのに伴って、シャフト２６は棒状に形成される。シャフト２６は、その上端に鍔２６１が形成されている。軸孔２７の大きさは、シャフト２６の上端の鍔２６１よりも小さく形成されている。そして、シャフト２６の鍔２６１が可動接触子２５の上面よりも上方に位置するように、シャフト２６の上部は軸孔２７に挿通されている。これにより、可動接触子２５は、シャフト２６の軸方向に沿って、上下に移動可能に構成され、第１固定接点２３１，第２固定接点２３２，第３固定接点２３３と接触する第１位置と、第１固定接点２３１，第２固定接点２３２，第３固定接点２３３と離間する第２位置との間で移動可能に構成されている。可動接触子２５が第１位置に位置するとき、可動接触子２５は、第１固定接点２３１と第２固定接点２３２とを電気的に接続する。同様に、可動接触子２５が第１位置に位置するとき、可動接触子２５は、第１固定接点２３１と第３固定接点２３３とを電気的に接続する。一方、図５から分かるように、可動接触子２５が第２位置に位置するとき、可動接触子２５は、第１固定接点２３１，第２固定接点２３２，第３固定接点２３３から離間する。これにより、第１固定接点２３１は、第２固定接点２３２，第３固定接点２３３と電気的に絶縁される。
【００６２】
可動鉄芯７が初期位置に位置するとき、可動接触子２５は、シャフト２６の鍔２６１とばね２９とにより、第２位置に位置される。これにより、可動接触子２５は、第１固定接点２３１，第２固定接点２３２，第３固定接点２３３から離間され、接点装置２は開放される。
【００６３】
一方、可動鉄芯７が当接位置に位置するとき、可動接触子２５は、ばね２９によって、第２位置から第１位置に向かって移動される。その結果、可動接触子２５と、第１固定接点２３１，第２固定接点２３２，第３固定接点２３３と接触する。より詳しく説明すると、可動接触子２５は、第１固定接点２３１，第２固定接点２３２，第３固定接点２３３に対して接触され続ける。これにより、第１固定接点２３１と第２固定接点２３２とが、可動接触子２５によって電気的に接続される。より詳しく説明すると、第１固定接点２３１と第２固定接点２３２とが、可動接触子２５によって電気的に接続され続ける。同様に、第１固定接点２３１と第３固定接点２３３とが、可動接触子２５によって電気的に接続される。より詳しく説明すると、第１固定接点２３１と第３固定接点２３３とが、可動接触子２５によって電気的に接続され続ける。
【００６４】
図７は、可動接触子２５が第１位置に位置するときの、可動接触子２５内の電流の流れを示している。具体的には、第１固定端子台２２１が第１の電位を有し、第２固定端子台２２２が第１の電位よりも低い第２の電位を有するとき、第１分流路２５７には矢印の方向に向かって電流が流れる。同様に、第１固定端子台２２１が第１の電位を有し、第２固定端子台２２２が第１の電位よりも低い第２の電位を有するとき、第２分流路２５７には、矢印の方向に向かって電流が流れる。
【００６５】
図７から理解されるように、可動接触子２５が第１位置に位置する状況において第１分流路２５７に電流が流れるとき、第１分流路２５７を流れる電流は、成分Ａと成分Ｂとを有する。一方、可動接触子２５が第１位置に位置する状況において第２分流路２５８に電流が流れるとき、第２分流路２５８を流れる電流は、成分Ｃと成分Ｄとを有する。すなわち、成分Ａ，成分Ｂは、固定接点間に流れる電流の一部の成分として定義される。詳しく説明すると、成分Ａ，成分Ｂは、可動接触子２５の第１分流路２５７に流れる電流の一部の成分として定義される。同様に、成分Ｃ，成分Ｄは、固定接点間に流れる電流の一部の成分として定義される。詳しく説明すると、成分Ｃ，成分Ｄは、可動接触子２５の第１分流路２５７に流れる電流の一部の成分として定義される。そして、第１分流路２５７に流れる電流の成分Ａの影響は、第２分流路２５８に流れる電流の成分Ｄによって相殺される。
【００６６】
以上のように、固定接点は、第１固定接点２３１と第２固定接点２３２と第３固定接点２３３との３つを有する。複数の分流路は、第１分流路２５７と第２分流路２５８とを有する。可動接触子２５が第１位置に位置するとき、第１固定接点２３１が第１分流路２５７及び第２分流路２５８と接触し、第２固定接点２３２が第１分流路２５７と接触し、第３固定接点２３３が第２分流路２５８と接触する。第２固定接点２３２の位置と第３固定接点２３３の位置とは、対称線で対称となるように配置されている。第１固定接点２３１は、対称線上に配置されている。そして、対称線は、第２固定接点２３２と第３固定接点２３３とを結ぶ線分の垂直二等分線で定義される。
【００６７】
また、第１固定接点２３１から第２固定接点２３２に向かう方向は、第１の方向として定義される。第１固定接点２３１から第３固定接点２３３に向かう方向は、第２の方向として定義される。第１の方向は、第２の方向と所定の角度ずれている。
【００６８】
言い換えると、第１固定接点２３１と第２固定接点２３２とを結ぶ線は、第１固定接点２３１と第２固定接点２３２とを結ぶ線から所定の角度傾斜している。
【００６９】
これにより、複数の分流路に流れる電流の影響の少なくとも一部は打ち消される。その結果、可動接触子２５を流れる電流の影響により生じる振動を低減することができる。したがって、接点装置２の騒音を低減することができる。そして、接点装置２を備える電磁継電器の騒音を低減することができる。
【００７０】
なお、図１及び図５の電磁継電器は、３つの固定端子を有している。しかしながら、固定端子の数は、３つに限定されない。すなわち、固定端子の数は、４つ以上でもよい。
【００７１】
図８は、４つの固定端子を採用した場合における固定端子と可動接触子２５との関係を示している。すなわち、図８に示すように、４つの固定端子は、第１固定端子２３１，第２固定端子２３２，第３固定端子２３３，第４固定端子２３４で構成される。第１固定接点２３１は、第１の極を有している。第４固定端子２３４は、配線によって、第１固定接点２３１と電気的に接続されており、これにより第４固定接点２３４は、第１固定接点２３１と同じく第１の極を有する。第２固定接点２３２は、第１の極とは異なる第２の極を有している。第３固定接点２３３は、配線により、第２固定接点２３２と電気的に接続されている。これにより、第３固定接点２３３は、第２固定接点２３２と同じく第２の極を有する。また、第１固定接点２３１，第２固定接点２３２は、第４固定接点２３４，第３固定接点２３３と、対称点で点対称となるように配置されている。この対称点は、第１固定接点２３１と第２固定接点２３２と第４固定接点２３４と第３固定接点２３３とで頂点を定義する四角形の中心に位置する。
【００７２】
一方、図９は、可動接触子２５と第１可動接点２５１，第２可動接点２５２，第３可動接点２５３，第４可動接点２５４との関係を示す概略図を示している。また、図９は、第１分流路２５７及び第２分流路２５８に流れる電流を示している。
【００７３】
図９に示すように、可動接触子２５は第１可動接点２５１，第２可動接点２５２，第３可動接点２５３，第４可動接点２５４を有している。第１分流路２５７は、第１可動接点２５１と第２可動接点２５２との間の領域で構成される。第２分流路２５８は、第３可動接点２５３と第４可動接点２５４との間の領域で構成される。第１可動接点２５１は、第１固定接点２３１と対向している。第２可動接点２５２は、第２固定接点２３２と対向している。第３可動接点２５３は、第３固定接点２３３と対向している。第４可動接点２５４は、第４固定接点２３４と対向している。したがって、第１可動接点２５１，第２可動接点２５２、第４可動接点２５４，第３可動接点２５３と対称点で点対称となるように配置されている。この対称点は、第１可動接点２５１，第２可動接点２５２、第４可動接点２５４，第３可動接点２５３とで頂点が定義される四角形の中心に位置している。なお、第１可動接点２５１，第２可動接点２５２、第４可動接点２５４，第３可動接点２５３で定義される四角形の中心は、軸孔２７の位置に相当する。
【００７４】
可動接触子２５が第１位置に位置するとき、第１可動接点２５１，第２可動接点２５２は、第１固定接点２３１，第２固定接点２３２とそれぞれ接触する。また、可動接触子２５が第１位置に位置するとき、第３可動接点２５３，第４可動接点２５４は、第３固定接点２３３，第４固定接点２３４とそれぞれ接触する。これにより、可動接触子２５が第１位置に位置するとき、第１分流路２５７を介して、第１固定接点２３１と第２固定接点２３２との間に電流が流れる。また、可動接触子２５が第１位置に位置するとき、第２分流路２５８を介して、第４固定接点２３４と第３固定接点２３３との間に電流が流れる。
【００７５】
これにより、第１分流路２５７を流れる電流の影響の少なくとも一部は、第２分流路２５８を流れる電流によって相殺される。その結果、可動接触子２５を流れる電流が原因となる振動を低減することができる。したがって、接点装置２の騒音を低減することができる。そして、接点装置２を備える電磁継電器の騒音を低減することができる。
【００７６】
なお、図１や図５に示す電磁継電器は、電磁石装置を備える。この電磁石装置は、巻線３と、可動鉄芯７と、シャフト２６とを有する。巻線３が電流の供給を受けたとき、巻線３は、磁場を発生する。巻線３が磁場を発生したとき、可動鉄芯７は移動される。可動鉄芯は、シャフト２６に固定されており、これにより、可動鉄芯７の移動に伴って、シャフト２６も移動する。シャフト２６は、可動接触子２５に対して、可動接触子を動かす力を与えるように構成されており、これにより、シャフト２６の移動に伴って可動接触子２５は第１位置と第２位置との間で移動される。
【００７７】
しかしながら、接点装置２を動作させる手段は、電磁石装置１に限られない。例えば、可動接触子２５を歯車で動作させることもでき、また、モータで動作させることもできる。
【００７８】
また、図１や図５に示す電磁継電器において、可動鉄芯７は、固定鉄芯６から見て可動接触子２５と反対側に配置されている。これにより、可動鉄芯７が初期位置から当接位置に向かって移動するのに伴って、可動接触子２５も移動する。しかしながら、可動鉄芯７と固定鉄芯６との位置を入れ替えて配置することも可能である。固定鉄芯が、可動鉄芯から見て可動接触子と反対側に位置するように配置される場合、固定接点は、可動接触子と可動鉄芯との間に位置するように配置される。
【００７９】
また、図４や図７や図９では、第１固定端子台２２１が第１の電位を有し、第２固定端子台２２２が第１の電位よりも低い第２の電位を有したときの電流の流れを示している。しかしながら、第２固定端子台２２２が第１の電位を有し、第１固定端子台２２１が第１の電位よりも低い第２の電位を有した場合、電流の流れは矢印の方向と逆となる。この場合においても、第１分流路２５７に流れる電流が原因となる振動は、第２分流路２５８に電流が流れることにより低減される。
【００８０】
また、第１固定端子台２２１と第２固定端子台２２２との間に交流電圧が印加された場合においても、第１分流路２５７に流れる電流が原因となる振動は、第２分流路２５８に電流が流れることにより低減される。
【図１】
2012199128.tif 000003
【図２】
2012199128.tif 000004
【図３】
2012199128.tif 000005
【図４】
2012199128.tif 000006
【図５】
2012199128.tif 000007
【図６】
2012199128.tif 000008
【図７】
2012199128.tif 000009
【図８】
2012199128.tif 000010
【図９】
2012199128.tif 000011